(57)【特許請求の範囲】
【請求項１】
ａ．受水槽１の槽壁１ａの内壁面であって、この受水槽１の内底面に近い位置に逆Ｌ字形を呈した固定金具１１の垂直面を取り付けると共に前記固定金具１１の水平面１２上には左右に間隔をあけてガイドパイプ受け支柱２０ａ、２０ｂを上向き垂直に立てたこと、
ｂ．前記固定金具１１の水平面１２上であって、前記ガイドパイプ受け支柱２０ａ、２０ｂ間に正面１４側が垂直面に形成され、後面１５が前記正面１４に対して下方が幅広となるような傾斜面１６を有する凸状嵌合部１３を形成したこと、
ｃ．前記凸状嵌合部１３の正面１４に排水口１７を形成し、この排水口１７と槽壁１ａに開口した揚水管接続口５０間を短管１８で結んだこと、
ｄ．前記ガイドパイプ受け支柱２０ａ、２０ｂにそれぞれガイドパイプ９の下端を外挿することにより２本のガイドパイプ９を槽壁１ａの内面に沿って立ち上げ、このガイドパイプ９の上端を槽壁１ａの内面に固定されたガイドサポート９ａにより支持したこと、
ｅ．水中ポンプＡの吐出口Ｂには上向きから水平方向に円曲したエルボＤを取り付け、この円曲したエルボＤの先端には前記凸状嵌合部１３の正面１４に当接しながら排水口１７に合致する接続口Ｅを形成したこと、
ｆ．前記エルボＤの先端には、左右両端にＵ字状に形成したガイドパイプフックＧを水平外向きに形成し、このガイドパイプフックＧ間の中間には下向きに前記短管１８を上方から跨ぐようにして逃げるための半円形状の逃げＪを形成し、更にこの逃げＪの両側であって、前記ガイドパイプフックＧとの間には、それぞれ前記凸状嵌合部１３の垂直な正面１４に接する垂直内面と前記凸状嵌合部１３の傾斜面１６に接する傾斜内面を形成した凹状嵌合部Ｆを下向きに形成したこと、
ｇ．前記水中ポンプＡは、エルボＤの先端部の左右両側に形成したガイドパイプフックＧを左右のガイドパイプ９に対して内側からそれぞれ係合させて受水槽１内に降ろし、受水槽１の内底部において下向きの凹状嵌合部Ｆを凸状嵌合部１３に上方からポンプＡの自重を利用して嵌合させることにより、エルボＤの接続口Ｅと排水口１７を合致させて固定するように構成したこと、
ｈ．を特徴とする水中ポンプ用吐出口の着脱装置。
【発明の詳細な説明】
【０００１】
【発明の属する技術分野】
本発明は、各種排水等を一旦受水槽又はピット又は水槽等に受け入れたものを、この受水槽又はピット又は水槽内に組み込んだ水中ポンプを用いて揚水し、他の施設或いは場所に送水する設備において用いられる水中ポンプ用吐出口の着脱装置に関するものである。
【０００２】
【従来の技術】
図１１は、従来の水中ポンプ用吐出口の着脱装置の一例を示すものである。この図１１において、符号の１は受水槽であって、２は排水受入口、３は排水送出口、４は送水管、５は受水槽１の底部に固定された着脱ベンド部材であって、この着脱ベンド部材５内にはベンド管が組み込まれていて、このベンド管における水中ポンプ側のエルボとの接続口６は受水槽１内において水平方向に向けられており、この接続口６から流入した排水の流出口７は上向きに形成され、この上向きの流出口７と前記排水送出口３は揚水管８で結ばれている。また、着脱ベンド部材５において、前記接続口６の両側には上向きの凸状嵌合部５ａが形成されている。
【０００３】
９は受水槽１内において、前記着脱ベンド部材５に下端が取り付けられ、上端がガイドサポート９ａにより受水槽１に取り付けられた２本のガイドパイプである。
Ａは水中ポンプであって、この水中ポンプＡの吐出口ＢはポンプケーシングＣの側方において上向きに形成されていると共にこの上向きの吐出口ＢにはエルボＤが取り付けられている。そして、このエルボＤの流出口（接続口）Ｅは水平方向を向き、この流出口Ｅの両側には、前記着脱エルボ部材５側に形成された凸状嵌合部５ａに上方から嵌合する下向きの凹状嵌合部Ｆが形成されていると共に、更にこの凹状嵌合部Ｆの両側には、前記ガイドパイプ９に内幅側から係合するガイドパイプフックＧが形成されている。Ｈは水中ポンプ８に下端が結ばれた昇降用チェーンである。
【０００４】
この従来例の水中ポンプ用吐出口の着脱装置においては、水中ポンプＡ側のガイドパイプフックＧをガイドパイプ９に内側から係合させ、その自重で水中ポンプＡを下降させ、着脱エルボ部材５側の凸状嵌合部５ａに凹状嵌合部Ｆを上方から嵌合させて水中ポンプの自重で固定し、水中ポンプＡを駆動することにより、受水槽１内の排水は水中ポンプＡの吐出口ＢからエルボＤ及び着脱エルボ部材５内を経由して揚水管８内を通り、排水送出口３から送水管４を経由して処理施設あるいは他の場所に送水される。
【０００５】
このようにして稼動する水中ポンプＡにおいて、例えば羽根車やモータ部分の保守、点検、あるいは修理を行う場合には、チェーンＨを持って水中ポンプＡを吊り上げると、水中ポンプＡ側の凹状嵌合部Ｆが凸状嵌合部５ａから離れ、水中ポンプＡはガイドパイプ９に沿って上方に引き上げられる。この結果、受水槽１内に入らなくても、容易に水中ポンプＡの点検等を行うことができる。
【０００６】
【発明が解決しようとする課題】
このように、従来の水中ポンプ用着脱装置においては、受水槽１内に水中ポンプＡ、揚水管８、着脱ベンド部材５、ガイドパイプ９、ガイドパイプフックＧ、チェーンＨ等の他に、ポンプケーブルあるいは水位制御用のフロートスイッチＩ等も一緒に組み込まれることから、受水槽１あるいはピットが小さい時には内部が狭くなり、繁雑になると共に最近では槽内に交互運転が出来るように２台の水中ポンプを組み込むことが多いため、余計に繁雑さが増し、その改善が要望されている。
【０００７】
本発明は斯る点に鑑みて提案されるものであって、その目的は、着脱装置のコンパクト化を図り、受水槽又はピット又は水槽内を広く利用でき、繁雑さを可及的に改善する水中ポンプ用吐出口の着脱装置を提供することである。
【０００８】
【課題を解決するための手段】
上記目的を達成するため、請求項１に記載の発明においては、水中ポンプ用吐出口の着脱装置において、ａ．受水槽１の槽壁１ａの内壁面であって、この受水槽１の内底面に近い位置に逆Ｌ字形を呈した固定金具１１の垂直面を取り付けると共に前記固定金具１１の水平面１２上には左右に間隔をあけてガイドパイプ受け支柱２０ａ、２０ｂを上向き垂直に立てたこと、
ｂ．前記固定金具１１の水平面１２上であって、前記ガイドパイプ受け支柱２０ａ、２０ｂ間に正面１４側が垂直面に形成され、後面１５が前記正面１４に対して下方が幅広となるような傾斜面１６を有する凸状嵌合部１３を形成したこと、
ｃ．前記凸状嵌合部１３の正面１４に排水口１７を形成し、この排水口１７と槽壁１ａに開口した揚水管接続口５０間を短管１８で結んだこと、
ｄ．前記ガイドパイプ受け支柱２０ａ、２０ｂにそれぞれガイドパイプ９の下端を外挿することにより２本のガイドパイプ９を槽壁１ａの内面に沿って立ち上げ、このガイドパイプ９の上端を槽壁１ａの内面に固定されたガイドサポート９ａにより支持したこと、
ｅ．水中ポンプＡの吐出口Ｂには上向きから水平方向に円曲したエルボＤを取り付け、この円曲したエルボＤの先端には前記凸状嵌合部１３の正面１４に当接しながら排水口１７に合致する接続口Ｅを形成したこと、
ｆ．前記エルボＤの先端には、左右両端にＵ字状に形成したガイドパイプフックＧを水平外向きに形成し、このガイドパイプフックＧ間の中間には下向きに前記短管１８を上方から跨ぐようにして逃げるための半円形状の逃げＪを形成し、更にこの逃げＪの両側であって、前記ガイドパイプフックＧとの間には、それぞれ前記凸状嵌合部１３の垂直な正面１４に接する垂直内面と前記凸状嵌合部１３の傾斜面１６に接する傾斜内面を形成した凹状嵌合部Ｆを下向きに形成したこと、
ｇ．前記水中ポンプＡは、エルボＤの先端部の左右両側に形成したガイドパイプフックＧを左右のガイドパイプ９に対して内側からそれぞれ係合させて受水槽１内に降ろし、受水槽１の内底部において下向きの凹状嵌合部Ｆを凸状嵌合部１３に上方からポンプＡの自重を利用して嵌合させることにより、エルボＤの接続口Ｅと排水口１７を合致させて固定するように構成したこと、を特徴とするものである。
【０００９】
【作用】
上記構成を採用すると、従来大きなスペースを取っていた着脱ベンド部材及び揚水管が受水槽又はピット又は水槽内に無いため、槽内を広く利用することができる。又、槽内において、着脱装置及び水中ポンプを槽壁に可及的に接近させて設置できることから、槽内において繁雑さがなくなり、特に２台の水中ポンプを組み込んだ際に槽内を広く利用できる。
【００１０】
【実施例１】
図１は本願発明に係る水中ポンプ用吐出口の着脱装置とこの着脱装置によって受水槽内に組み付けられた状態の水中ポンプを示す側面図、図２は図１の平面図、図３はガイドパイプ及び着脱装置部分の正面図、図４は着脱装置の斜視図、図５は正面図である。この図１〜５において、符号の１は排水受入口２を上部に設けた受水槽、１ａは槽壁であって、この槽壁１ａの内壁面の下部には、着脱装置１０が取り付けられている。この着脱装置１０は、逆Ｌ型の固定金具１１の垂直面を槽壁１ａに取り付け、水平面１２上には、２本のガイドパイプ受け支柱２０ａ、２０ｂが間隔をあけて２本垂直に立ててあり、このガイドパイプ受け支柱２０ａ、２０ｂに対し、図３に示すようにガイドパイプ９の下端９ｂを夫々外挿し、このガイドパイプ９の上端をガイドサポート９ａにより槽壁１ａに取り付けることにより、ガイドパイプ９を槽壁１ａに対して接近して取り付けることができる。
【００１１】
１３は前記固定金具１１の水平面１２上において、前記ガイドパイプ９間に位置するように形成された上向きの凸状嵌合部であって、この凸状嵌合部１３の正面１４は垂直面で、後面１５には傾斜面（スライドガイド面）１６が形成されている。
【００１２】
１７は前記凸状嵌合部１３の正面１４の中央に開口した水中ポンプＡ側のエルボＤの接続口（流出口）Ｅが接続される排水口であって、この排水口１７から後方の槽壁１ａに向けて短管１８が取り付けてあり、この短管１８の後端の開口１９には、槽外に向けて図１、２に示すように揚水管接続口５０が形成されている。
【００１３】
図６及び図７は上記構成の着脱装置１０に対して水中ポンプＡの吐出口Ｂに取り付けられたエルボＤの接続口Ｅが接続される状態を示すもので、水中ポンプＡのポンプケーシングＣの側方に形成した吐出口ＢにはエルボＤが取り付けられていると共にこのエルボＤの水平方向の接続口Ｅの両サイドにはそれぞれ外向きにＵ字状のガイドパイプ９に係合するガイドパイプフックＧが水平外向きに形成され、このガイドパイプフックＧの基部と後記する逃げＪ間には、夫々前記凸状嵌合部１３に上方から嵌合する垂直内面と傾斜内面を持った下向きの凹状嵌合部Ｆが形成されていて、この間には、前記短管１８を逃げる半円形の逃げＪが形成されている（図６（Ｂ））。この水中ポンプＡ側の構成は、従来例で説明した図１１と同一構造である。
【００１４】
図６の（Ａ）は、上記構成において、水中ポンプＡ側のエルボＤとガイドパイプフックＧ及び凹状嵌合部Ｆ部分を示す側面図、（Ｂ）は正面図、（Ｃ）は受水槽１の槽壁１ａに取り付けられた着脱装置１０の側面図であって、水中ポンプＡを受水槽１内に降ろす場合にはガイドパイプ９にガイドパイプフックＧを内側から係合させ、昇降用チェン（図示せず）で吊りながら徐々にその自重で槽内に降ろす。そして、着脱装置１０まで来ると、この着脱装置１０の凸状嵌合部１３に水中ポンプＡ側の凹状嵌合部Ｆが嵌合し、楔作用と水中ポンプＡの自重で固定される。このとき、エルボＤ側の接続口Ｅは着脱装置１０側の凸状嵌合部１３の正面に形成した排水口１７に直接合致する。この着脱装置１０が接続された状態を示したのが図７で、図８は水中ポンプＡの運転状態を示し、排水受入口２から受け入れられた排水は、受水槽１内に一旦貯水され、水中ポンプＡが駆動を開始すると、ポンプ吸引口から吸引された排水は、吐出口ＢからエルボＤを経由して接続口Ｅ、排水口１７、短管１８内を通り、図８に示すように揚水管接続口５０に接続された接続管５１から揚水管５２を通り、他の処理施設、あるいは他の場所まで送水される。
【００１５】
なお、上記実施例は、排水を一旦受水槽１内に貯水する例であるが、例えば排水ピットや水槽の場合でも着脱装置１０の構成と作用は変らない。
【００１６】
【実施例２】
本実施例は、受水槽１内に２台の水中ポンプを組み込むこことができるように構成した実施例であって、図９は着脱装置１０及びガイドパイプ９を槽壁１ａの内面に並設した例、図１０は２台の水中ポンプＡをガイドパイプ９を用いて槽内に降ろし、交互に、又は同時に水中ポンプＡを運転している例の説明図であって、水中ポンプＡを２台組み込みとした以外は、すべて実施例１と同一構造であるので、同一の符号の説明は重複するので省略する。
【００１７】
上記実施例１、２は、受水槽１に本発明に係る着脱装置１０を取り付けた例であるが、ピットや水槽等の場合には、アタッチメント等を用いて着脱装置１０を現場で取り付ける。
【００１８】
【発明の効果】
本発明は以上のように、受水槽１又はピット、水槽等の底部から着脱ベンド部材なるものを取り除き、その代わりに槽壁１ａに排水口１７を形成し、この排水口１７に水中ポンプＡ側のエルボＤの接続口Ｅを直接接続するようにして着脱装置のコンパクト化を図った。又、揚水管を槽外に配管し、ガイドパイプ９の取り付け位置を槽壁１ａ近くに設置することで槽内の省スペース化を図り、繁雑の解消を図った。
【００１９】
この結果、容積の取れないポンプ受水槽や、中継ポンプ場や中継ポンプユニットなどには非常に有効である。更に、規格化、市販されているこの種のものに農業集落排水事業や小規模下水道などの下水道中継用のマンホールポンプユニットなどがあり、これらにおいても本願発明に係る着脱装置を採用することで、前記した省スペースの効果を享受することができる。
【図面の簡単な説明】
【図１】  本願発明に係る着脱装置とガイドパイプ及び水中ポンプの接続状態を示す側面図
【図２】  図１の平面図
【図３】  槽内に取り付けられた着脱装置及びガイドパイプの正面図
【図４】  着脱装置の斜視図
【図５】  着脱装置の正面図
【図６】  着脱装置の説明とこれに水中ポンプ側のエルボが接続される状態の説明図
【図７】  着脱装置に水中ポンプが接続された状態の平面図
【図８】  受水槽内に水中ポンプを組み込み、揚水している状態の説明図
【図９】  水中ポンプ２台を組み込むことができるように、着脱装置及びガイドパイプを槽内に並設した状態の実施例２の正面図
【図１０】  槽内に２台の水中ポンプを組み込んで揚水している状態の説明図
【図１１】  従来の受水槽と水中ポンプ及びこの着脱装置の説明図
【符号の説明】
１  受水槽
９  ガイドパイプ
１０  着脱装置
１３  凸状嵌合部
１７  排水口
１８  短管
２０ａ、２０ｂ  ガイドパイプ受け
５０  揚水管接続口
５１  接続管
５２  揚水管
Ａ  水中ポンプ
Ｂ  吐出口
Ｄ  エルボ
Ｅ  接続口
Ｆ  凹状嵌合部
Ｇ  ガイドパイプフック
【図１】
0004702914.tif 000002
【図２】
0004702914.tif 000003
【図３】
0004702914.tif 000004
【図４】
0004702914.tif 000005
【図５】
0004702914.tif 000006
【図６】
0004702914.tif 000007
【図７】
0004702914.tif 000008
【図８】
0004702914.tif 000009
【図９】
0004702914.tif 000010
【図１０】
0004702914.tif 000011
【図１１】
0004702914.tif 000012